(57)【要約】【課題】ＨＤＲ映像とＳＤＲ映像とを両立させたワークフローの実現に寄与する。【解決手段】この映像信号処理装置は、ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う第１の変換部を有するＨＤＲ映像生成部を具備する。【選択図】図２
2018055945.tif 000002
【特許請求の範囲】
【請求項１】
ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う第１の変換部を有するＨＤＲ映像生成部
を具備する映像信号処理装置。
【請求項２】
請求項１に記載の映像信号処理装置であって、
入力映像信号に対してＩＴＵ-Ｒ ＢＴ.７０９のＯＥＴＦ変換を行ってＳＤＲ映像を生成する第２の変換部を有するＳＤＲ映像生成部を
さらに具備する映像信号処理装置。
【請求項３】
請求項２に記載の映像信号処理装置であって、
入力映像信号に対して、前記ＨＤＲ映像と前記ＳＤＲ映像を同時に生成するように構成された
映像信号処理装置。
【請求項４】
ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う
映像信号処理方法。
【請求項５】
ＨＤＲ映像およびＳＤＲ映像を生成する映像信号生成装置と、前記映像信号生成装置により生成された前記ＨＤＲ映像を第１のモニターに表示するための信号処理を行うＨＤＲモニターと、前記映像信号生成装置により生成された前記ＳＤＲ映像を第２のモニターに表示するための信号処理を行うＳＤＲモニターとを具備し、
前記映像信号生成装置は、
前記ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う第１の変換部を有するＨＤＲ映像生成部と、
入力映像信号に対してＩＴＵ-Ｒ ＢＴ.７０９のＯＥＴＦ変換を行って前記ＳＤＲ映像を生成する第２の変換部を有するＳＤＲ映像生成部と、
を具備し、
前記ＳＤＲモニターは、
前記映像信号生成装置により生成された前記ＳＤＲ映像に対して、ＩＴＵ-Ｒ ＢＴ.１８８６のＥＯＴＦによるガンマ処理を行うＳＤＲ映像信号処理部を有する
映像信号処理システム。
【発明の詳細な説明】
【技術分野】
【０００１】
本技術は、ＨＤＲ映像信号およびＳＤＲ映像信号を処理可能な映像信号処理装置、映像信号処理方法および映像信号処理システムに関する。
【背景技術】
【０００２】
ＨＤＲ（High Dynamic Range）イメージングでは、ダイナミックレンジの広い映像の表現が可能であり、通常のモニターで表示可能な標準的なダイナミックレンジを持つＳＤＲ（Standard Dynamic Range)の映像信号で表現しきれなかった、高輝度の表現や、輝度の高い色の表現が可能である。【０００３】
ＨＤＲ撮像のワークフローの中でＯＯＴＦ（Opto-Optical Transfer Function）が注目されている。ＯＯＴＦは、現実のシーンとディスプレイの光との間の変換関数であり、両者の見えの印象を決定する「画作り」の目的で用いられる。【０００４】
ＳＤＲでは、ＩＴＵ-Ｒ ＢＴ.７０９のＯＥＴＦ（Opto-Electronic Transfer Function）と、ＩＴＵ-Ｒ ＢＴ.１８８６のＥＯＴＦ（Electronic-Opto Transfer Function）により、撮像装置で得られたリニアな画素信号が、ディスプレイ上ではノンリニアなＯＯＴＦ特性をもつＳＤＲ映像となって出力される。【０００５】
一方、ＨＤＲでは、ＩＴＵ-Ｒ ＢＴ.２１００に規定されたＯＥＴＦとＥＯＴＦは完全対称な特性を持つため、意図的にＯＯＴＦ特性を加えることが規定されている。現在ＩＴＵ-Ｒ ＢＴ.２１００に定義されているＯＯＴＦには、ＨＬＧ ＯＯＴＦとＰＱ ＯＯＴＦの２種類がある。【０００６】
特許文献１には、ＨＤＲビデオとＳＤＲビデオとを合わせてエンコードする方法が開示される。
【先行技術文献】
【特許文献】
【０００７】
【特許文献１】特表２０１５−５０６６２３号公報
【発明の概要】
【発明が解決しようとする課題】
【０００８】
近年、ＨＤＲ映像を対象としたワークフローが立ち上がってきているとはいえ、未だＳＤＲ映像を対象とするワークフローが主体となる環境に変わりはない。そのため、ＨＤＲ映像とＳＤＲ映像が両立するようなワークフローが望まれている。
本技術は、ＨＤＲ映像とＳＤＲ映像とを両立させたワークフローの実現に寄与する映像信号処理装置、映像信号処理方法および映像信号処理システムの提供を目的とする。
【課題を解決するための手段】
【０００９】
上記の課題を解決するために、本技術に係る一形態の映像信号処理装置は、
ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う第１の変換部を有するＨＤＲ映像生成部を具備する。【００１０】
上記の映像信号処理装置は、
入力映像信号に対してＩＴＵ-Ｒ ＢＴ.７０９のＯＥＴＦ変換を行ってＳＤＲ映像を生成する第２の変換部を有するＳＤＲ映像生成部を
さらに具備するものであってよい。【００１１】
上記の映像信号処理装置は、入力映像信号に対して、前記ＨＤＲ映像と前記ＳＤＲ映像を同時に生成するように構成されたものであってよい。【００１２】
本技術に係る他の一形態の映像信号処理方法は、
ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う。【００１３】
本技術に係る他の一形態の映像信号処理システムは、
ＨＤＲ映像およびＳＤＲ映像を生成する映像信号生成装置と、前記映像信号生成装置により生成された前記ＨＤＲ映像を第１のモニターに表示するための信号処理を行うＨＤＲモニターと、前記映像信号生成装置により生成された前記ＳＤＲ映像を第２のモニターに表示するための信号処理を行うＳＤＲモニターとを具備し、
前記映像信号生成装置は、
前記ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う第１の変換部を有するＨＤＲ映像生成部と、
入力映像信号に対してＩＴＵ-Ｒ ＢＴ.７０９のＯＥＴＦ変換を行って前記ＳＤＲ映像を生成する第２の変換部を有するＳＤＲ映像生成部と、
を具備し、
前記ＳＤＲモニターは、前記映像信号生成装置により生成された前記ＳＤＲ映像に対して、ＩＴＵ-Ｒ ＢＴ.１８８６のＥＯＴＦによるガンマ処理を行うＳＤＲ映像信号処理部を有する
映像信号処理システム。
【発明の効果】
【００１４】
以上のように、本技術によれば、ＨＤＲ映像とＳＤＲ映像とを両立させたワークフローの実現に寄与する映像信号処理装置、映像信号処理方法および映像信号処理システムを提供することが可能になる。
【図面の簡単な説明】
【００１５】
【図１】本技術に係る第１の実施形態の映像信号処理システムの全体的な構成を示すブロック図である。
【図２】図１の映像信号生成装置におけるＨＤＲ映像生成部およびＳＤＲ映像生成部の機能的な構成を示すブロック図である。
【図３】ＳＤＲ映像のＯＯＴＦ特性と、ＨＬＧのＯＯＴＦ特性およびＰＱのＯＯＴＦ特性とを比較したグラフである。
【図４】図３のグラフを１０００％の範囲まで拡大したグラフである。
【図５】図１の映像信号処理システムにおけるＳＤＲ映像に対するＯＥＴＦ変換およびＥＯＴＦ変換を説明するためのブロック図である。
【図６】変化点を１００％、３００％、５００％の位置に与えた場合各々のＯＯＴＦ特性を、ＳＤＲ映像用のＯＯＴＦ特性と比較して示したグラフである。
【図７】本技術に係る変形例を示すブロック図である。
【発明を実施するための形態】
【００１６】
以下、本技術に係る実施の形態を説明する。
＜第１の実施形態＞
［映像信号処理システムの構成］
図１は、本技術に係る第１の実施形態の映像信号処理システム１の全体的な構成を示すブロック図である。
この映像信号処理システム１は、撮像装置２から伝送された画素信号を受信し、ＨＤＲ映像信号およびＳＤＲ映像信号を同時生成することが可能な映像信号生成装置１０と、映像信号生成装置１０より伝送されたＨＤＲ映像信号を表示するＨＤＲモニター２０、および映像信号生成装置１０より伝送されたＳＤＲ映像信号を表示するＳＤＲモニター３０とを有する。
【００１７】
撮像装置２は、ＣＭＯＳ（Complementary Metal-Oxide-Semiconductor）素子、ＣＣＤ（Charge-Coupled Device）などのイメージセンサを有する。イメージセンサは光学系を通じて取り込んだ光を光強度に対応した電気的な画素信号に変換する。撮像装置において、イメージセンサより出力された画素信号は欠陥補正、およびレンズ収差補正などの信号補正処理などの処理が施され、カメラケーブル３を通じて映像信号生成装置１０に伝送される。
【００１８】
映像信号生成装置１０は、ＨＤＲ映像生成部１１０およびＳＤＲ映像生成部１２０を備える。カメラケーブル３を通じて撮像装置２から映像信号生成装置１０に伝送された画素信号は、ＨＤＲ映像生成部１１０およびＳＤＲ映像生成部１２０に供給される。
【００１９】
ＨＤＲ映像生成部１１０は、撮像装置２から供給された画素信号に対して、ＨＤＲ調整用のパラメータ情報をもとに各種の調整を加えながらＨＤＲ映像信号を生成する処理を行う。ＨＤＲ映像生成部１１０により生成されたＨＤＲ映像信号は、ＨＤＲ伝送路４を通じてＨＤＲモニター２０に伝送される。
【００２０】
ＳＤＲ映像生成部１２０は、撮像装置２から供給された画素信号に対して、ＳＤＲ調整のパラメータ情報をもとに各種の調整を加えながらＳＤＲ映像信号を生成する処理を行う。ＳＤＲ映像生成部１２０により生成されたＳＤＲ映像信号はＳＤＲ伝送路５を通じてＳＤＲモニター３０に伝送される。
【００２１】
ＨＤＲ映像生成部１１０およびＳＤＲ映像生成部１２０は１つあるいは複数の集積回路などによって構成される。
【００２２】
［ＨＤＲ映像生成部１１０およびＳＤＲ映像生成部１２０の構成］
図２はＨＤＲ映像生成部１１０およびＳＤＲ映像生成部１２０の機能的な構成を示すブロック図である。
【００２３】
ＨＤＲ映像生成部１１０は、ＨＤＲゲイン調整部１１１、マトリクス処理部１１２、ブラックレベル補正部１１３、ディテール処理部１１４、ＯＯＴＦ部１１５、ＯＥＴＦ部１１６、フォーマッター１１７を有する。
【００２４】
ＨＤＲゲイン調整部１１１は、マスターゲインの制御の他、ホワイトバランス調整のためのＲＧＢゲインの制御を行う。
【００２５】
マトリクス処理部１１２は、ＨＤＲ調整用のパラメータ情報の一部である色域情報（HDR-Color Gamut）をもとに、ＨＤＲゲイン調整部１１１を通過した画素信号に対するデベイヤー処理、リニアマトリクス処理などを行ってカラー画像データを得る。
【００２６】
ブラックレベル補正部１１３は、ＨＤＲ調整用のパラメータ情報の一部であるブラックレベル補正のための情報（HDR-Black）をもとにカラー画像データのブラックレベルの補正を行う。
ディテール処理部１１４は、カラー画像データのディテールの処理を行う。
【００２７】
ＯＯＴＦ部１１５（第１の変換部）は、ＨＤＲモニター２０のディスプレイでのＨＤＲ映像の見え方を現実シーンに近付けるために、カラー画像データに対して、ＨＤＲ調整用のパラメータ情報の一部であるＯＯＴＦ（Opto-Optical Transfer Function：光−光伝達関数）による変換処理を行う。
【００２８】
ＯＥＴＦ部１１６は、ＨＤＲ調整用のパラメータ情報の一部であるＯＥＴＦ情報をもとに、カラー画像データに対してＯＥＴＦ（Optical-Electro Transfer Function：光−電気伝達関数）のガンマ信号処理を行う。
【００２９】
フォーマッター１１７は、ＯＥＴＦ部１１６を通過したカラー画像データをＨＤＲ映像の伝送フォーマットに変換する。
【００３０】
一方、ＳＤＲ映像生成部１２０は、解像度変換部１２１、ＳＤＲゲイン調整部１２２、マトリクス処理部１２３、ブラックレベル補正部１２４、ニー・ディテール処理部１２５、ガンマ処理部１２６、フォーマッター１２７を有する。
【００３１】
解像度変換部１２１は、撮像装置２より伝送された画素信号の解像度（例えば４Ｋ解像度）をＨＤの解像度に変換する。
【００３２】
ＳＤＲゲイン調整部１２２は、ＳＤＲ調整用のパラメータ情報の一部であるリレイティブゲイン（Relative-Gain）をもとにマスターゲインの制御を行うとともに、ホワイトバランス調整のためのＲＧＢゲインの制御を行う。
【００３３】
リレイティブゲインとはＨＤＲ映像とＳＤＲ映像とのコントラスト比を調整することを可能とするために、ＨＤＲプロセスでの画素信号に対するゲインとＳＤＲプロセスでの画素信号に対するゲインとの比率を示すパラメータである。例えば、リレイティブレンジは、ＳＤＲ映像のダイナミックレンジに対してＨＤＲ映像のダイナミックレンジを何倍に設定するかを定義する。このリレイティブレンジによって、ＨＤＲプロセス側のマスターゲインに対してＳＤＲプロセス側のマスターゲインの比を例えば１、１／２などのように任意の比に設定することができる。このようにＨＤＲプロセス側のマスターゲインとＳＤＲプロセス側のマスターゲインとの比が設定されていれば、ＳＤＲ映像のダイナミックレンジと相関を有するＨＤＲ映像のダイナミックレンジが得られる。
【００３４】
より具体的には、ＳＤＲ映像のダイナミックレンジの上限基準は制作者により選定された基準白（Diffuse-White）により与えられる。本実施形態では、このＳＤＲ映像の基準白（Diffuse-White）が選定されることによって、リレイティブレンジに基づく相関をもとに、ＨＤＲ映像のダイナミックレンジの上限基準（ＨＤＲ映像の基準白（Diffuse-White））も決定される。
【００３５】
なお、ＨＤＲ映像の持つ輝度ダイナミックレンジはＳＤＲ映像の持つ輝度ダイナミックレンジよりも広い。例として、ＳＤＲ映像の持つ輝度ダイナミックレンジを０〜１００％とすると、ＨＤＲ映像の持つ輝度ダイナミックレンジは例えば１００％〜１０００％あるいは１００％〜１００００％などである。撮像装置２の出力の輝度レンジは０〜６００％などである。
【００３６】
マトリクス処理部１２３は、ＳＤＲ映像の色に関する情報である色域情報（SDR-Color Gamut）をもとに、ＳＤＲゲイン調整部１２２を通過した画素信号に対するデベイヤー処理、リニアマトリクス処理などを行ってカラー画像データを得る。
【００３７】
ブラックレベル補正部１２４は、ブラックレベル補正のための情報（SDR-Black）をもとにカラー画像データのブラックレベルの補正を行う。
【００３８】
ニー・ディテール処理部１２５は、ニー補正に関する情報（KNEE）をもとにカラー画像データに対するニー補正を行い、また、ディテールの処理を行う。
【００３９】
ガンマ処理部１２６（第２の変換部）は、ダイナミックレンジの圧縮に関する情報（SDR-D-Range-Gamma）をもとに、ＳＤＲゲイン調整部１２２に設定されたダイナミックレンジに対するガンマ信号処理を行い、同時に、ＩＴＵ-Ｒ ＢＴ.７０９のディスプレイ用のガンマ信号処理を行う。
【００４０】
フォーマッター１２７は、カラー画像データをＳＤＲ映像の伝送フォーマットに変換する。
【００４１】
上記のＨＤＲ映像生成部１１０およびＳＤＲ映像生成部１２０で用いられる各パラメータ情報は、映像信号生成装置１０内の図示しないＣＰＵとＬＡＮ（Local Area Network）などの通信路を介して接続された操作装置を操作するＶＥ（Video Engineer）などの制作者によって設定される。
【００４２】
［ＯＯＴＦについて］
ＯＯＴＦ（Opto-Optical Transfer Function）は、現実のシーンとモニターの光との間の変換関数であり、現実のシーンとモニター上の映像の見えの印象を決定する「画作り」の目的で用いられる。ＨＤＲ映像用の典型的なＯＥＴＦにはＨＬＧ(Hybrid Log-Gamma） ＯＥＴＦとＰＱ（Perceptual Quantization） ＯＥＴＦが知られる。しかし、これらの典型的なＯＯＴＦの特性はＳＤＲ映像のＯＯＴＦ特性とは異なる。
【００４３】
図３は、図５に示すように、ＳＤＲ映像生成部１２０のガンマ処理部１２６でＩＴＵ-Ｒ ＢＴ.７０９のＯＥＴＦによるガンマ処理が行われ、ＳＤＲモニター３０のＳＤＲ映像信号処理部３１でフラットパネルディスプレイ用の推奨ガンマであるＩＴＵ-Ｒ ＢＴ.１８８６のＥＯＴＦによるガンマ処理が行われる場合のＳＤＲ映像のＯＯＴＦ特性と、ＨＬＧのＯＯＴＦ特性およびＰＱのＯＯＴＦ特性とを比較したグラフである。このグラフは、ＳＤＲ映像の表現範囲を１００％として、この１００％の範囲でのＨＬＧのＯＯＴＦ特性およびＰＱのＯＯＴＦ特性を示したものである。また、図４は図３のグラフを１０００％の範囲まで拡大したグラフである。
【００４４】
これらのグラフから分かるように、ＨＬＧのＯＯＴＦ特性およびＰＱのＯＯＴＦ特性は、ＳＤＲ映像のＯＯＴＦ特性との間に乖離があるため、モニター上でのＨＤＲ映像とＳＤＲ映像の見え方にずれが生じていた。
【００４５】
このような課題を解決するために、本実施形態の映像信号処理システム１では、ＨＤＲ映像用のＯＯＴＦを、以下のべき乗関数と一次関数とで構成した。
べき乗関数は、ＳＤＲ映像の入力信号レベルの表現範囲を１００％として、ＨＤＲ映像の入力信号レベルが０％から、１００％乃至５００％の範囲内で任意に決められた変化点までの範囲の前記ＨＤＲ映像の入力信号レベルに対して、１００％を１として１．２のべき乗を求める。
一次関数は、前記変化点より高い範囲のＨＤＲ映像の入力信号レベルに対して、べき乗関数を用いて求められる前記変化点の部分での計算結果の変化率を維持するように所定の係数を乗じる。
一次関数の例としては、変化点を３００％の点とし、ＥをＨＤＲ映像の入力信号レベル（１００％を１として正規化した値）、Ｅ'を計算結果であるディスプレイ輝度値とした場合、
Ｅ'＝−０．２×３１．２＋１．２×３０．２×Ｅ
また、変化点を５００％の点とし、ＥをＨＤＲ映像の入力信号レベル（１００％を１として正規化した値）、Ｅ'を計算結果であるディスプレイ輝度値とした場合は、
Ｅ'＝−０．２×５１．２＋１．２×５０．２×Ｅ
となる。
【００４６】
次に、上記の変化点について検討する。
図６は変化点を１００％、３００％、５００％の位置に与えた場合各々のＯＯＴＦ特性を、ＳＤＲ映像用のＯＯＴＦ特性と比較して示したグラフである。
このように、上記のべき乗関数により、入力信号レベル０％から入力信号レベル１００％までの範囲のＨＤＲ映像用のＯＯＴＦ特性はＳＤＲ映像用のＯＯＴＦ特性に近似したものとなる。このため、入力信号レベル０％から１００％までの範囲のモニター上でのＨＤＲ映像とＳＤＲ映像の見え方のずれが解消される。
【００４７】
また、上記の一次関数により、入力信号レベルが変化点より高い範囲ではリニアな特性が与えられる。これにより次のような利点が得られる。べき乗関数のみを用いて全範囲の入力信号レベルに対して１．２のべき乗を計算することによって得られる特性は、入力信号レベルが高い範囲になるほどディスプレイの輝度値の上昇率が大きくなり、また、入力信号レベルのクリップ領域がそれだけ広くなる。変化点よりも高い入力信号レベルの領域を上記のリニアな特性にすることによって、入力信号レベルが高い範囲においてディスプレイの輝度値の上昇率を一定にでき、また、入力信号レベルのクリップ領域を縮小できる。
【００４８】
＜変形例１＞
上記の実施形態では、ＨＤＲ映像に対するＯＯＴＦ変換を映像信号生成装置１０で行うこととした。しかし、このＯＯＴＦ変換は、図７に示すように、ＨＤＲモニター２０のＨＤＲ映像信号処理部２１で行うことも可能である。この場合、ＯＯＴＦ変換は、ＨＤＲモニター２０のＨＤＲ映像信号処理部２１においてＥＯＴＦ変換が行われたＨＤＲ映像信号に対して行われる。
【００４９】
なお、本技術は以下のような構成もとることができる。
（１）ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う第１の変換部を有するＨＤＲ映像生成部
を具備する映像信号処理装置。
【００５０】
（２）上記（１）に記載の映像信号処理装置であって、
入力映像信号に対してＩＴＵ-Ｒ ＢＴ.７０９のＯＥＴＦ変換を行ってＳＤＲ映像を生成する第２の変換部を有するＳＤＲ映像生成部を
さらに具備する映像信号処理装置。
【００５１】
（３）上記（１）または（２）に記載の映像信号処理装置であって、
入力映像信号に対して、前記ＨＤＲ映像と前記ＳＤＲ映像を同時に生成するように構成された
映像信号処理装置。
【００５２】
（４）ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う
映像信号処理方法。
【００５３】
（５）上記（４）に記載の映像信号処理方法であって、
入力映像信号に対してＩＴＵ-Ｒ ＢＴ.７０９のＯＥＴＦ変換を行ってＳＤＲ映像を生成する
映像信号処理方法。
【００５４】
（６）上記（４）または（５）に記載の映像信号処理方法であって、
入力映像信号に対して、前記ＨＤＲ映像と前記ＳＤＲ映像を同時に生成する
映像信号処理方法。
【００５５】
（７）ＨＤＲ映像およびＳＤＲ映像を生成する映像信号生成装置と、前記映像信号生成装置により生成された前記ＨＤＲ映像を第１のモニターに表示するための信号処理を行うＨＤＲモニターと、前記映像信号生成装置により生成された前記ＳＤＲ映像を第２のモニターに表示するための信号処理を行うＳＤＲモニターとを具備し、
前記映像信号生成装置は、
前記ＳＤＲ映像の入力信号レベルの表現範囲を１００％として、０％の点から、１００％乃至５００％の範囲内で任意に決められた変化点までの範囲のＨＤＲ映像の入力信号レベルに対して、１００％を１として１．２のべき乗を求めるべき乗関数と、前記変化点より高い範囲の前記ＨＤＲ映像の入力信号レベルに対して、前記べき乗関数を用いて求められる前記変化点の部分での計算結果の変化率を維持するように所定の係数を乗じる一次関数とを用いて前記ＨＤＲ映像のＯＯＴＦ変換を行う第１の変換部を有するＨＤＲ映像生成部と、
入力映像信号に対してＩＴＵ-Ｒ ＢＴ.７０９のＯＥＴＦ変換を行って前記ＳＤＲ映像を生成する第２の変換部を有するＳＤＲ映像生成部と、
を具備し、
前記ＳＤＲモニターは、
前記映像信号生成装置により生成された前記ＳＤＲ映像に対して、ＩＴＵ-Ｒ ＢＴ.１８８６のＥＯＴＦによるガンマ処理を行うＳＤＲ映像信号処理部を有する
映像信号処理システム。
【００５６】
（８）上記（７）に記載の映像信号処理システムであって、
入力映像信号に対してＩＴＵ-Ｒ ＢＴ.７０９のＯＥＴＦ変換を行ってＳＤＲ映像を生成する第２の変換部を有するＳＤＲ映像生成部を
さらに具備する映像信号処理システム。
【００５７】
（９）上記（７）または（８）に記載の映像信号処理システムであって、
入力映像信号に対して、前記ＨＤＲ映像と前記ＳＤＲ映像を同時に生成するように構成された
映像信号処理システム。
【符号の説明】
【００５８】
１…映像信号処理システム
１０…映像信号生成装置
２０…ＨＤＲモニター
２１…ＨＤＲ映像信号処理部
３０…ＳＤＲモニター
３１…ＳＤＲ映像信号処理部
１１０…ＨＤＲ映像生成部
１１５…ＯＯＴＦ部
１１６…ＯＥＴＦ部
１２０…ＳＤＲ映像生成部
１２６…ガンマ処理部
【図１】
2018055945.tif 000003
【図２】
2018055945.tif 000004
【図３】
2018055945.tif 000005
【図４】
2018055945.tif 000006
【図５】
2018055945.tif 000007
【図６】
2018055945.tif 000008
【図７】
2018055945.tif 000009
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
所定の基準点から任意に決められた変化点までの範囲のＨＤＲ映像の入力信号レベルに対して、所定の関数を用いて、ＳＤＲ映像用のＯＯＴＦ変換に近似したＯＯＴＦ変換を行う第１の変換部を具備する映像信号処理装置。
【請求項２】
請求項１に記載の映像信号処理装置であって、
前記第１の変換部は、
前記変化点より高い範囲の前記ＨＤＲ映像の入力信号レベルに対してリニアな特性によるＯＯＴＦ変換を行う
映像信号処理装置。
【請求項３】
請求項２に記載の映像信号処理装置であって、
前記リニアな特性によるＯＯＴＦ変換が、
前記所定の関数を用いて求められる前記変化点の部分での計算結果の変化率を維持するように所定の係数を乗じる一次関数を用いた変換である
映像信号処理装置。
【請求項４】
請求項１に記載の映像信号処理装置であって、
前記基準点は、ＳＤＲ映像の入力信号レベルの表現範囲を１００％として表現されたＨＤＲ映像の入力信号レベルにおける０％の点である
映像信号処理装置。
【請求項５】
請求項１に記載の映像信号処理装置であって、
前記所定の関数が、ＳＤＲ映像の入力信号レベルの表現範囲を１００％として表現されたＨＤＲ映像の入力信号レベルにおける１００％の点を１として１．２のべき乗を求めるべき乗関数である
映像信号処理装置。
【請求項６】
請求項１に記載の映像信号処理装置であって、
前記変化点は、ＳＤＲ映像の入力信号レベルの表現範囲を１００％として表現されたＨＤＲ映像の入力信号レベルにおける０％の点から、１００％乃至５００％の範囲内で任意に決められた点である
映像信号処理装置。
【請求項７】
請求項１に記載の映像信号処理装置であって、
入力映像信号に対してＯＥＴＦ変換を行ってＳＤＲ映像を生成する第２の変換部を
さらに具備する映像信号処理装置。
【請求項８】
請求項７に記載の映像信号処理装置であって、
入力映像信号に対して、前記ＨＤＲ映像と前記ＳＤＲ映像を同時に生成するように構成された
映像信号処理装置。
【請求項９】
所定の基準点から任意に決められた変化点までの範囲のＨＤＲ映像の入力信号レベルに対して、所定の関数を用いて、ＳＤＲ映像用のＯＯＴＦ特性に近似したＯＯＴＦ変換を行う
映像信号処理方法。
【請求項１０】
ＨＤＲ映像およびＳＤＲ映像を生成する映像信号生成装置と、前記映像信号生成装置により生成された前記ＨＤＲ映像を第１のモニターに表示するための信号処理を行うＨＤＲモニターと、前記映像信号生成装置により生成された前記ＳＤＲ映像を第２のモニターに表示するための信号処理を行うＳＤＲモニターとを具備し、
前記映像信号生成装置は、
所定の基準点から任意に決められた変化点までの範囲のＨＤＲ映像の入力信号レベルに対して、所定の関数を用いて、ＳＤＲ映像用のＯＯＴＦ特性に近似したＯＯＴＦ変換を行う第１の変換部を有するＨＤＲ映像生成部と、
入力映像信号に対してＯＥＴＦ変換を行って前記ＳＤＲ映像を生成する第２の変換部を有するＳＤＲ映像生成部と、
を具備し、
前記ＳＤＲモニターは、
前記映像信号生成装置により生成された前記ＳＤＲ映像に対してＥＯＴＦによるガンマ処理を行うＳＤＲ映像信号処理部を有する
映像信号処理システム。
【国際調査報告】
2018055945.tif 000010
2018055945.tif 000011
2018055945.tif 000012